(57)【要約】【課題】  長手方向に平行な貫通孔を有する建築用中空外装パネルを横張りして外壁を構成した場合、シーリング材によって中空外装パネルの貫通孔が完全に封止されるのを防止する縦目地ジョイナーの提供。【解決手段】  中空外装パネル用の縦目地ジョイナーとして、ジョイナーの凸条の上に、縦目地ジョイナー全体の高さがパネル貫通孔の１／４〜３／４であって、且つ貫通孔に対応する部分の幅が目地幅より０．５〜６ｍｍ広く、パネル板材部に対応する部分の幅が目地幅と同じないし−５ｍｍの軟質弾性体を貼付した縦目地ジョイナー、又は中空外装パネル用の縦目地ジョイナーとして、高さがパネル貫通孔の１／４〜３／４まであり、貫通孔に対応する部分の幅が目地幅より０．５〜６ｍｍ広く、パネル板材部から以下の部分に対応する部分の幅が目地幅と同じないし−５ｍｍとした軟質弾性体である縦目地ジョイナーおよび該縦目地ジョイナーを用いた中空外装パネルの目地施工方法。【選択図】            図４
2006070600.tif 000002
【特許請求の範囲】
【請求項１】
中空外装パネル用の縦目地ジョイナーとして、ハットジョイナーの凸条の上に、縦目地ジョイナー全体の高さがパネル貫通孔の１／４〜３／４であって、且つ貫通孔に対応する部分の幅が目地幅より０．５〜６ｍｍ広く、パネル板材部に対応する部分の幅が目地幅と同じないし−５ｍｍの軟質弾性体を貼付したことを特徴とする縦目地ジョイナー。
【請求項２】
ハットジョイナーの凸条の上に、高さがパネル貫通孔の１／４〜３／４であり、断面の鋭角部幅が中空外装パネルの目地幅より０．５〜６ｍｍ広く、鈍角部幅が目地幅と同じないし−５ｍｍとした逆台形の軟質弾性体を貼付した請求項１に記載の縦目地ジョイナー。
【請求項３】
中空外装パネル用の縦目地ジョイナーとして、高さがパネル貫通孔の１／４〜３／４まであり、貫通孔に対応する部分の幅が目地幅より０．５〜６ｍｍ広く、パネル板材部から以下の部分に対応する部分の幅が目地幅と同じないし−５ｍｍとした軟質弾性体である縦目地ジョイナー。
【請求項４】
高さが中空外装パネル縦目地のパネル貫通孔の１／４〜３／４あり、断面の鋭角部幅が中空外装パネルの目地幅より０．５〜６ｍｍ広く、鈍角部幅が目地幅と同じないし−５ｍｍとした逆台形の軟質弾性体である請求項３に記載の縦目地ジョイナー。
【請求項５】
軟質弾性体のシーリング材と接する面を剥離剤で表面処理した請求項１〜４のいずれか１項に記載の中空外装パネル縦目地ジョイナー。
【請求項６】
軟質弾性体のシーリング材と接する面に、ボンドブレーカーテープを貼付した請求項１〜４のいずれか１項に記載の中空外装パネル縦目地ジョイナー。
【請求項７】
軟質弾性体が発泡したポリエチレン、ポリプロピレンもしくはフッ素系樹脂ゴムまたはゴムである請求項１〜６のいずれか１項に記載の中空外装パネル縦目地ジョイナー。
【請求項８】
請求項１または２に記載の中空外装パネル縦目地ジョイナーを使用する中空外装パネルの横張り目地構造の施工方法であって、中空外装パネルの側端面の間に縦目地ジョイナーを挟持し、ジョイナー下辺板部が建築物下地面に直接または留め金具を用いて取付けた後、両側の中空外装パネルの間の縦目地ジョイナー上部空間にシーリング材を圧入するに際し、シーリング材を圧入したときに中空外装パネルの貫通孔が閉塞しないようにジョイナー上部の軟質弾性体貫通孔対応部分を中空外装パネルの貫通孔の中に入れ込み、シーリング材を塗布することを特徴とする中空外装パネルの目地施工方法。
【請求項９】
請求項３または４に記載の中空外装パネル縦目地ジョイナーを使用した中空外装パネルの横張り目地構造であって、中空外装パネルの側端面の間に該縦目地ジョイナーを挟持して両側の中空外装パネルと縦目地ジョイナー上部空間にシーリング材を圧入するに際し、シーリング材を圧入したときに中空外装パネルの貫通孔が閉塞しないように軟質弾性体の貫通孔対応部分を中空外装パネルの貫通孔の中に入れ込んだ後にシーリング材を塗布することを特徴とする中空外装パネルの目地施工方法。
【請求項１０】
請求項１〜４のいずれか１項に記載の縦目地ジョイナーを用いて施工した横張り目地構造。
【発明の詳細な説明】
【技術分野】
【０００１】
本発明は長手方向に平行な貫通孔を有する建築用中空外装パネルを横張りして外壁を構成した場合、隣接する中空外装パネルの端面間に形成される縦目地部に後施工されるシーリング材によって中空外装パネルの貫通孔が完全に封止されるのを防止する縦目地ジョイナー及びそれを用いた目地施工方法に関する。
【背景技術】
【０００２】
住宅などの建物の外壁を窯業系パネル、例えば乾式の中空外装パネルで構成しようとする場合、規格寸法のパネルを横張りして接合し、長手方向は端面同士を突き合わせた状態で接合される。この場合外装材の熱による伸縮や経年あるいは地震などによる寸法変化を考慮して、左右の端面部の間には１０ｍｍ程度の隙間（縦目地部）を設けて留め付けるのが普通であり、そして該縦目地部部分から雨水が浸入するのを防ぐために、通常弾性を有する材料からなるシーリング材が充填される。
シーリング材としては、変成シリコーン系、ポリサルファイド系、ポリウレタン系、アクリル系、ブチルゴム系などの材料が多く用いられており、施工後の建築板の伸縮による隙間（目地幅）の変化をシーリング材の弾性変形により吸収して追従し、シーリング材の切れや剥離などにより縦目地の密封破壊が生じるのを防止している。
【０００３】
ところで、縦目地部に充填されるシーリング材は、充填された状態において左右両側に配される中空外装パネルの端面（相対する接着面）のみが接着状態となり、それ以外の接触面は非接着の状態の場合に当該中空外装パネルの伸縮に対して高い追従性を示す。このためハットジョイナーの凸条の表面領域にボンドブレーカと呼ばれるシーリング材に対して接着性のないテープを接着することが行われる。ボンドブレーカとしては、紙や布などの表面に撥水処理をした撥水性テープ（特許文献１）、剥離紙（特許文献２）、表面処理を施すことにより表面粗さを小さくして表面が光沢のある平滑なものとされた樹脂テープ（特許文献３）など、種々のものが提案されている。
【０００４】
上記のように縦目地の裏側に縦目地ジョイナーをセットし、該凸条部分と両側の中空外装パネルで形成される目地空間にその表面からシーリング材を注入して目地を封止する。縦目地シールはパネル貫通孔に接することになるが、縦目地にシール材を充填しへらなどで押さえて目地間を気密性、水密性のあるシールをすることが必要である。シーリング材は施工した後１〜２日で溶剤の揮発、重合反応の進行などにより弾力性のある物質になるが、施工時は極めて軟質であって流動性があり、僅かの圧力変動にも容易に変形する。このため施工に際し、多くの場合シーリング材は中空外装パネルの貫通孔の中にまで押し込まれ、貫通孔の両端部を完全に封止してしまうのでこれを避けなければならない。従って貫通孔の封止をせずに目地のみを気密性、水密性を確保するにはシーリング材のへらの押さえ方は技能、経験が必要であり、施工上技能、経験を必要とする作業となっている。
【０００５】
貫通孔を封止したとき、中空外装パネル貫通孔内部に封入された空気は気温の上昇や日射による中空外装パネルの温度上昇に伴って膨張し、未硬化の軟質のシーリング材を押出して膨れ、外観上の欠点になったり、時には貫通孔内の空気の温度が上昇して膨張しシーリング材を内部より押し破って目地の防水機能を喪失せしめる危険がある。このためシーリング材の施工は温度変化の少ない時間帯にすることが必要とされていた。一旦シール材が穴などが出来たときは、水密性が失われるだけでなく、単なるシーリング材の膨れであっても外観上建物の商品価値を著しく減殺してしまうので、この防止法として、中空外装パネルの貫通孔の形状の変更、例えばひょうたん型にするとか２段式にする方法などの幾つかの提案がなされている。
しかし、係る変更はコストアップや、重量の増加などが避けられず、また貫通孔の寸法とシーリング材の打ち込み深さを担保するための縦目地ジョイナーの寸法との相互関係においては効果が発揮できない場合も多く、完全な解決を与えていなかった。
【０００６】
またこの防止策として、ハットジョイナーの凸部表面に目地幅より広幅の、両端面が房状のシートを貼付した中空外装パネル縦目地ジョイナーを使用する提案（特許文献４）がなされている。この縦目地ジョイナーは上記の問題の多くを解決した。しかし中空外装パネルを端面房状のシート面に沿って挿入施工出来るときは良いが、該端面房状シートの上面からパネルを差し込む必要があるときなどにおいては端面房状のシートがパネルの下面に押さえ込まれ、端面房状にしたシートはパネルの下面になって貫通孔をカバーすることが出来ず、シーリング材は中空外装パネルの貫通孔の中にまで押し込まれ、貫通孔の両端部を封止してしまうことがあり、このため施工方法に制限を受けていた。
また端面房状シートの作製、ハットジョイナーへの貼付など、縦目地ジョイナー作製面においてもコストダウンが困難なことが多かった。
【０００７】
【特許文献１】実開昭６２−２２２４８号公報
【特許文献２】実開平０４−１３４３０６号公報
【特許文献３】特開平１１−３６５５３号公報
【特許文献４】特開２００４−８４２００号公報
【発明の開示】
【発明が解決しようとする課題】
【０００８】
本発明は、製作が容易で安価であり、かつ中空外装パネルの施工方法及び施工時期に制限を受けることなく、縦目地ジョイナー端面を中空外装パネルの貫通孔の中に入れ込むことが容易であり、この結果シーリング材施工においてパネルの貫通孔を完全に封止することなく外気との空気通路を確保できるため、気温の上昇などにより膨張した空気が注入直後のシーリング材を内部から押し上げ、膨らませることにより建物の外観を著しく損なうことを確実に防止することを可能とした縦目地ジョイナー、並びにそれを使用した中空外装パネルの横張り目地施工方法の提供を目的とする。
【課題を解決するための手段】
【０００９】
本発明は、
［１］  中空外装パネル用の縦目地ジョイナーとして、ハットジョイナーの凸条の上に、縦目地ジョイナー全体の高さがパネル貫通孔の１／４〜３／４であって、且つ貫通孔に対応する部分の幅が目地幅より０．５〜６ｍｍ広く、パネル板材部に対応する部分の幅が目地幅と同じないし−５ｍｍの軟質弾性体（以下「貼付タイプ材」ということもある。）を貼付したことを特徴とする縦目地ジョイナー、
［２］  ハットジョイナーの凸条の上に、高さがパネル貫通孔の１／４〜３／４であり、断面の鋭角部幅が中空外装パネルの目地幅より０．５〜６ｍｍ広く、鈍角部幅が目地幅と同じないし−５ｍｍとした逆台形の貼付タイプ材を貼付した上記［１］に記載の縦目地ジョイナー、
【００１０】
［３］  中空外装パネル用の縦目地ジョイナーとして、高さがパネル貫通孔の１／４〜３／４まであり、貫通孔に対応する部分の幅が目地幅より０．５〜６ｍｍ広く、パネル板材部から以下の部分に対応する部分の幅が目地幅と同じないし−５ｍｍとした軟質弾性体（以下「独立タイプ材」ということもある。）である縦目地ジョイナー。
［４］  高さが中空外装パネル縦目地のパネル貫通孔の１／４〜３／４あり、断面の鋭角部幅が中空外装パネルの目地幅より０．５〜６ｍｍ広く、鈍角部幅が目地幅と同じないし−５ｍｍとした逆台形の独立タイプ材である上記［３］に記載の縦目地ジョイナー、
【００１１】
［５］  軟質弾性体のシーリング材と接する面を剥離剤で表面処理した上記［１］〜［４］のいずれかに記載の中空外装パネル縦目地ジョイナー、
［６］  軟質弾性体のシーリング材と接する面に、ボンドブレーカーテープを貼付した上記［１］〜［４］のいずれかに記載の中空外装パネル縦目地ジョイナー、
［７］  軟質弾性体が発泡したポリエチレン、ポリプロピレンもしくはフッ素系樹脂ゴムまたはゴムである上記［１］〜［６］のいずれかに記載の中空外装パネル縦目地ジョイナー、
【００１２】
［８］  上記［１］または［２］に記載の中空外装パネル縦目地ジョイナーを使用する中空外装パネルの横張り目地構造の施工方法であって、中空外装パネルの側端面の間に縦目地ジョイナーを挟持し、ジョイナー下辺板部が建築物下地面に直接または留め金具を用いて取付けた後、両側の中空外装パネルの間の縦目地ジョイナー上部空間にシーリング材を圧入するに際し、シーリング材を圧入したときに中空外装パネルの貫通孔が閉塞しないようにジョイナー上部の貼付タイプ材の貫通孔対応部分を中空外装パネルの貫通孔の中に入れ込み、シーリング材を塗布することを特徴とする中空外装パネルの目地施工方法、
【００１３】
［９］  上記［３］または［４］に記載の中空外装パネル縦目地ジョイナーを使用した中空外装パネルの横張り目地構造であって、中空外装パネルの側端面の間に該縦目地ジョイナーを挟持して両側の中空外装パネルと縦目地ジョイナー上部空間にシーリング材を圧入するに際し、シーリング材を圧入したときに中空外装パネルの貫通孔が閉塞しないように独立タイプ材の貫通孔対応部分を中空外装パネルの貫通孔の中に入れ込んだ後にシーリング材を塗布することを特徴とする中空外装パネルの目地施工方法、及び
【００１４】
［１０］ 上記［１］〜［４］のいずれかに記載の縦目地ジョイナーを用いて施工した横張り目地構造、を開発することにより上記の課題を解決した。
【発明の効果】
【００１５】
本発明の縦目地ジョイナーは、ハットジョイナーの凸条の上に、縦目地ジョイナー全体の高さがパネル貫通孔の１／４〜３／４であって、且つ貫通孔に対応する部分の幅が目地幅より０．５〜６ｍｍ広く、パネル板材部に対応する部分の幅が目地幅と同じないし−５ｍｍの軟質弾性体を貼付した中空外装パネル縦目地ジョイナー、または高さがパネル貫通孔の１／４〜３／４まであり、貫通孔に対応する部分の幅が目地幅より０．５〜６ｍｍ広く、パネル板材部から以下の部分に対応する部分の幅が目地幅と同じないし−５ｍｍとした軟質弾性体である縦目地ジョイナーであって、製造が容易であり、コストも安いだけでなく、施工方法、シーリング材の施工時期によることなく確実にシーリング材による貫通孔の封止を防止できる効果を有する。
【発明を実施するための最良の形態】
【００１６】
本発明において中空外装パネルとは、図４に示すように長手方向に平行な貫通孔４を有する住宅用の中空外装パネルであり、厚さが約１５ｍｍ以上の板状のパネル３であり、長手方向に平行な端辺は結合可能な形状を有しているものが多い。この中空外装パネル３は、複数枚並べて（端辺を結合させて）外装材とし建物下地面に直接又は留め金具などにより浮かし張りなどにより固定される。長手方向は外装パネル３の気温や太陽熱による温度変化による伸縮を考慮して目地構造を取る必要がある。これは外装パネルの長さにも依るが、外装パネル３の温度変化による伸縮とシーリング材の弾力性を考慮して目地幅Ｅは通常幅１０ｍｍ×深さ１０ｍｍ程度は必要とされているが、幅６ｍｍ×深さ６ｍｍ位の縦目地も存在する。
【００１７】
この縦目地には、裏面からハットジョイナー１が、表面側からシーリング材５が施工される。
本発明における第１の発明における中空外装パネル縦目地ジョイナーに用いるジョイナー（貼付タイプ材を付けていないもの）の断面形状として特に制限はないが、一般に図１に示すハットジョイナー１が好ましい。
これらのハットジョイナー１のシーリング材を充填する側の凸条１１の上に、縦目地ジョイナー全体の高さがパネル貫通孔の１／４〜３／４であって、且つ貫通孔に対応する部分の幅が目地幅より０．５〜６ｍｍ広く、パネル板材部に対応する部分の幅が目地幅と同じないし−５ｍｍの貼付タイプ材を貼付した縦目地ジョイナー、特に貼付タイプ材が、断面の鋭角部幅２１が中空外装パネルの目地幅Ｅより広幅であり、鈍角部幅２２が目地幅と同等またはそれより狭い逆台形の軟質弾性体２を貼付して中空外装パネル縦目地ジョイナーとすることが好ましい。
【００１８】
この縦目地ジョイナーとしては、従来使用されているハットジョイナーなどのジョイナーであって良く、その凸条の上に断面逆台形の軟質弾性体２を貼付する。鋭角２１，２１同志を結ぶ辺の長さＡは目地幅により異なるが、目地幅Ｅより広いことが必要である。一般的には目地幅Ｅより０．５〜６ｍｍ、好ましくは２〜４ｍｍ広いものを用いる。また鈍角２２，２２同志を結ぶ辺の長さＢとしては目地幅Ｅと同じか若干狭い，例えば０〜−５ｍｍ、好ましくは−１〜−４ｍｍ程度の逆台形の軟質弾性体２を貼付する。該軟質弾性体２の高さはパネル３の肉厚（貫通孔４のあるところの最も薄い部分の厚み）にもよるが、貫通孔４の口径の下から１／４〜３／４程度の高さになるように調整する。
【００１９】
軟質弾性体２の材質としては、パネル３を軟質弾性体２を設けた縦目地ジョイナー１の上側から押し込んだときに、軟質弾性体２が容易に変形してパネル３を通過させた後その弾性により貫通孔対応部分が貫通孔部４内に入り込み、貫通孔４の開口度を狭くしてシーリング材の自由な侵入を防止できるものであればその弾力性は制限されない。材質的には発泡したポリエチレン、ポリプロピレンもしくはフッ素系樹脂ゴムあるいはゴムなどの弾性体であれば使用可能である。
【００２０】
本願第２の発明における中空外装パネル縦目地ジョイナー１２は、ハットジョイナーを使用せずに、高さがパネル貫通孔の１／４〜３／４まであり、貫通孔に対応する部分の幅が目地幅より０．５〜６ｍｍ広く、パネル板材部から以下の部分に対応する部分の幅が目地幅と同じないし−５ｍｍとした独立タイプ材である縦目地ジョイナー、好ましくは断面の鋭角部幅２１、２１が中空外装パネルの目地幅Ｅより広幅であり、鈍角部幅２２、２２が目地幅Ｅと同等またはそれより狭い逆台形の軟質弾性体１２である中空外装パネル縦目地ジョイナーを用いた縦目地ジョイナーを用いることも好ましい。この場合縦目地ジョイナー断面の鋭角部幅２１，２１同志の距離Ｃは一般的には目地幅Ｅより０．５〜５ｍｍ、好ましくは１．５〜３ｍｍ広いものを用いる。また鈍角２２，２２同志を結ぶ辺の長さＤとしては目地幅Ｅと同じか若干狭い，例えば０〜−５ｍｍ、好ましくは−１〜−３ｍｍ程度の逆台形であって、貫通孔４の口径の下から１／４〜３／４程度の高さになるように調整した独立タイプ材１２を縦目地ジョイナーとして用いる。
【００２１】
独立タイプ材１２の材質としては、パネル３を独立タイプ材１２を設けた縦目地ジョイナーの上側から押し込んだときに、独立タイプ材１２が容易に変形してパネル３を通過させ、その後その弾性により貫通孔対応部分が貫通孔部４内に入り込み、貫通孔４の開口度を狭くしてシーリング材の自由な侵入を防止できるものであればその弾力性は制限されない。材質的には発泡したポリエチレン、ポリプロピレンもしくはフッ素系樹脂ゴムあるいはゴムなどの弾性体であれば使用可能である。
【００２２】
第１の発明の中空外装パネル縦目地ジョイナーは、硬質のハットジョイナーの上に貼付タイプ材を貼付した物であるため、パネルを取り付ける際にその位置や角度を縦目地ジョイナーを定規として利用することが可能である。
一方、第２の発明の中空外装パネル縦目地ジョイナーは、全体が軟質弾性体からなるため第１の発明の中空外装パネル縦目地ジョイナーより軽量であり、また安価にできる利点がある。
いずれの中空外装パネル縦目地ジョイナーも共に軟質弾性体の形状が長さ方向に同一であるので簡単に押出成形により安価に製造でき、また形状も複雑でないため非接着剤処理も簡単且つ確実に実施可能である。
【００２３】
ハットジョイナーの凸条部に貼付タイプ材を貼付した中空外装パネル縦目地ジョイナーあるいはハットジョイナーのない独立タイプ材である縦目地ジョイナーを使用するときは、中空外装パネルの貫通孔内にシーリング材の侵入は完全に防止することはできないが、軟質弾性体の貫通孔対応部分が貫通孔に入り込んでもその高さが貫通孔以下であるため貫通孔は完全に封止されることはなく空隙部が残ることになり、中空外装パネルの温度の上昇などがあっても貫通孔内からの膨張空気の逃げ道があるため、シーリング材が未硬化の状態であってもシーリング材の膨れることあるいは吹き出すことは完全に防止できる。
【００２４】
本発明の縦目地ジョイナーを使用した中空外装パネルの横張り目地構造によれば、貫通孔と縦目地ジョイナーの間に空気の流通可能な通路が形成され、また目地内部には中空外装パネルの側端面と縦目地ジョイナーとの間に目地部の上下方向に貫通して上方及び下方に開放する縦方向の空気通路が形成されるので、これら空気通路と中空外装パネルの貫通孔とは連通し、全ての貫通孔内の空気は容易に外気との通気が可能となり、温度の変化により貫通孔内の空気が膨張しても、この空気通路により施工初期の軟質のシーリング材を押し上げて膨れることは確実に防止できる。
【００２５】
本発明の中空外装パネル縦目地ジョイナーは、軽量であるだけでなくシーリング材の充填に熟練度の低い作業員であっても確実に気密性、水密性の高い施工をすることができ、施工性、効果の安定性に富む中空外装パネル縦目地ジョイナーである。
【実施例】
【００２６】
［実施例１］
鉄骨下地（Ｃチャンネル  １００×５０×２０：板厚２．３ｍｍ）の枠を用い、これに中空外装パネルとしてラムダ１５ヨコＳＰ（昭和電工建材（株）製：長さ６００ｍｍ、働き幅３０３ｍｍ）を２列６段施工し、止め金具１５−３号（昭和電工建材（株）製）を用い、縦目地幅１０ｍｍ，該縦目地の最下段と次の段を「ハットジョイナー１５−３」（昭和電工建材（株）製）、３段と４段を「ヒゲハットジョイナー１５−３号」（昭和電工建材（株）製）、５段と６段を本発明の中空外装パネル縦目地ジョイナー［ハットジョイナーの凸条の上に、鋭角部（２１°５０’）が１２ｍｍ（目地幅より２ｍｍ広く）、鈍角部幅が８ｍｍ（目地幅より２ｍｍ狭い）とし、高さ５ｍｍの貼付タイプ材（ポリエチレン発泡体）を貼付した。］を用い、両端はシーリング材で十分に充填する納まりとしてた。シーリング材として１成分系変性シリコーン「セメダイン（株）  ボスシールＬＭ」「プライマーＭＰ−１００」を使用し、通常のシーリング施工を行った。
【００２７】
上記のシーリング材施工後、投光照明器でパネル表面の温度を気温＋３０℃（各パネル１枚毎に１灯を用い、温度測定はデジタル式表面温度測定器を用いて測定。）に加熱し、３０分後にシール部の膨れを観察した。結果を表１に示す。
なお中空外装パネル縦目地ジョイナーとして、ジョイナーのない独立タイプ材［ポリエチレン発泡体、鋭角部幅１２ｍｍ、鈍角部幅８ｍｍ、高さ１２ｍｍ］の軟質弾性体を用いて同様にテストをしたが実施例における本発明品と同様に膨れは発生しなかった。
【００２８】
【表１】
2006070600.tif 000003
【００２９】
［実施例２］  
実施例１と同様に作成した壁材［但し、中空外装パネルとしてラムダヨコＳＰ：長さ２９９０ｍｍ、働き幅３０３ｍｍ、４列１４段施工した］を用い、シーリング材として２成分系変性シリコーンを用い、通常通りに施工した。縦目地ジョイナーとして、ハットジョイナー１５−３を７段から１４段を、本発明の中空外装パネル縦目地ジョイナーを最下段から６段までに用いた。
シール充填は７月の快晴日の午前１０時に行い、直射日光に４時間曝した。加熱したパネル表面温度は５５〜６０℃に達した。本発明の縦目地ジョイナーを使用した部分に膨れは見当たらなかったが、ハットジョイナーを使用したところパネル実嵌合部と目地部に膨れが見つかった。
【産業上の利用可能性】
【００３０】
本発明の縦目地ジョイナーは、シーリング材施工においてパネルの貫通孔を完全に封止することなく外気との空気通路を確保できるため、気温の上昇などにより膨張した空気が注入直後のシーリング材を内部から押し上げ、膨らませることにより建物の外観を著しく損なうことを確実に防止することを可能としたものであり、中空外装パネルの施工方法及び施工時期に制限を受けることがない縦目地ジョイナーである。更に製造が容易であり、コストも安いだけでなく、施工方法、シーリング材の施工時期によることなく確実にシーリング材による貫通孔の封止を防止できる効果を有するので、使用した住宅の価値を高めるものである。
【図面の簡単な説明】
【００３１】
【図１】本発明のハットジョイナーに断面逆台形の貼付タイプ材を貼付した縦目地ジョイナーの断面図。
【図２】（ａ），（ｂ），（ｃ）、（ｄ）および（ｅ）は、本発明の縦目地ジョイナーに貼付する貼付タイプ材（軟質弾性体）の断面の例示図。
【図３】（ａ），（ｂ），（ｃ）は、本発明の独立タイプ材（軟質弾性体）からなる縦目地ジョイナーの断面の例示図。
【図４】本発明の貼付タイプ材使用縦目地ジョイナーを用いて中空外装パネルを結合した目地部の断面図。
【図５】本発明の独立タイプ材の縦目地ジョイナーを用いて中空外装パネルを結合した目地部の断面図。
【符号の説明】
【００３２】
１  ジョイナー
１１凸条
２  軟質弾性体
２１  鋭角部
２２  鈍角部
３  中空外装パネル
４  貫通孔
５  シーリング材
１２  軟質弾性体縦目地ジョイナー
Ａ  鋭角部幅
Ｂ  鈍角部幅
Ｃ  鋭角部幅
Ｄ  鈍角部幅
Ｅ  目地幅
【図１】
2006070600.tif 000004
【図２】
2006070600.tif 000005
【図３】
2006070600.tif 000006
【図４】
2006070600.tif 000007
【図５】
2006070600.tif 000008